(57)【要約】【課題】無駄なトラフィックやコストを発生させることなく会議通信を行う。【解決手段】本発明に係る通信開始方法は、内線サーバＢＳＤＴＭと無線制御装置ＲＮＣ＃１との間でアクセスリンクを確立し、移動端末ＵＥ＃３と無線制御装置ＲＮＣ＃２との間で確立された無線アクセスネットワークリンク＃２と、コアネットワークリンクと、アクセスリンクとを接続し、内線サーバＢＳＤＴＭにおいて、アクセスリンクと、移動端末ＵＥ＃１と内線サーバＢＳＤＴＭとの間で確立された内線リンク＃１と、移動端末ＵＥ＃２と内線サーバＢＳＤＴＭとの間で確立された内線リンク＃２とを接続し、移動端末ＵＥ＃２と無線制御装置ＲＮＣ＃１との間で確立された無線アクセスネットワークリンク＃１を削除する工程とを有する。【選択図】図６
2010068354.tif 000002
【特許請求の範囲】
【請求項１】
第１無線基地局配下の第１セル内に在圏している第１移動端末と、該第１セル内に在圏している第２移動端末と、第２無線基地局配下の第２セル内に在圏している第３移動端末との間で通信を開始する通信開始方法であって、
前記第２移動端末と第１無線制御装置との間で該第１無線基地局を介して第１無線アクセスネットワークリンクを確立し、前記第３移動端末と第２無線制御装置との間で該第２無線基地局を介して第２無線アクセスネットワークリンクを確立し、該第１無線制御装置と該第２無線制御装置との間でコアネットワークを介してコアネットワークリンクを確立し、該第１無線アクセスネットワークリンクと該第２無線アクセスネットワークリンクと該コアネットワークリンクとを接続する工程Ａと、
前記第１移動端末と内線サーバとの間で前記第１無線基地局を介して第１内線リンクを確立し、前記第２移動端末と該内線サーバとの間で該第１無線基地局を介して第２内線リンクを確立し、該内線サーバにおいて、該第１内線リンクと該第２内線リンクとを接続する工程Ｂと、
前記内線サーバと前記第１無線制御装置との間でアクセスリンクを確立し、前記コアネットワークリンクと該アクセスリンクとを接続し、該内線サーバにおいて、該アクセスリンクと前記第１内線リンクと前記第２内線リンクとを接続し、前記第１無線アクセスネットワークリンクを削除する工程Ｃとを有することを特徴とする通信開始方法。
【請求項２】
第１無線基地局配下の第１セル内に在圏している第１移動端末と、該第１セル内に在圏している第２移動端末と、第２無線基地局配下の第２セル内に在圏している第３移動端末との間で通信を開始する手順において、
前記第１移動端末との間で前記第１無線基地局を介して第１内線リンクを確立し、前記第２移動端末との間で前記第２無線基地局を介して第２内線リンクを確立し、該第１内線リンクと該第２内線リンクとを接続するように構成されており、
前記第２移動端末と第１無線制御装置との間で前記第１無線基地局を介して確立されている第１無線アクセスネットワークリンクと、前記第３移動端末と第２無線制御装置との間で該第２無線基地局を介して確立されている第２無線アクセスネットワークリンクと、該第１無線制御装置と該第２無線制御装置との間でコアネットワークを介して確立されているコアネットワークリンクとが接続されている場合で、かつ、前記内線サーバと前記第１無線制御装置との間で確立されたアクセスリンクが、該第１無線アクセスネットワークリンクの代わりに該コアネットワークリンクに接続された場合に、該アクセスリンクと前記第１内線リンクと前記第２内線リンクとを接続するように構成されていることを特徴とする内線サーバ。
【発明の詳細な説明】
【技術分野】
【０００１】
本発明は、通信開始方法及び内線サーバに関する。
【背景技術】
【０００２】
従来、移動通信システムにおいて、複数のユーザが移動端末を用いて参加する形態の会議通信が実現されている。
【０００３】
具体的には、コアネットワークに存在する特定装置（接続ポイント）と各移動端末との間でデータリンクを確立し、かかる特定装置において各データリンクを接続することによって、かかる会議通信を開始することができる。
【特許文献１】特許第３９００４１２号
【発明の開示】
【発明が解決しようとする課題】
【０００４】
しかしながら、従来の会議通信では、同一無線基地局配下のセルに在圏する移動端末同士の通信も、必ずコアネットワークに存在する特定装置を経由して行われることになり、無駄なトラフィックやコストが発生してしまうという問題点があった。
【０００５】
そこで、本発明は、上述の課題に鑑みてなされたものであり、無駄なトラフィックやコストを発生させることなく会議通信を行うことができる通信開始方法及び内線サーバを提供することを目的とする。
【課題を解決するための手段】
【０００６】
本発明の第１の特徴は、第１無線基地局配下の第１セル内に在圏している第１移動端末と、該第１セル内に在圏している第２移動端末と、第２無線基地局配下の第２セル内に在圏している第３移動端末との間で通信を開始する通信開始方法であって、前記第２移動端末と第１無線制御装置との間で該第１無線基地局を介して第１無線アクセスネットワークリンクを確立し、前記第３移動端末と第２無線制御装置との間で該第２無線基地局を介して第２無線アクセスネットワークリンクを確立し、該第１無線制御装置と該第２無線制御装置との間でコアネットワークを介してコアネットワークリンクを確立し、該第１無線アクセスネットワークリンクと該第２無線アクセスネットワークリンクと該コアネットワークリンクとを接続する工程Ａと、前記第１移動端末と内線サーバとの間で前記第１無線基地局を介して第１内線リンクを確立し、前記第２移動端末と該内線サーバとの間で該第１無線基地局を介して第２内線リンクを確立し、該内線サーバにおいて、該第１内線リンクと該第２内線リンクとを接続する工程Ｂと、前記内線サーバと前記第１無線制御装置との間でアクセスリンクを確立し、前記コアネットワークリンクと該アクセスリンクとを接続し、該内線サーバにおいて、該アクセスリンクと前記第１内線リンクと前記第２内線リンクとを接続し、前記第１無線アクセスネットワークリンクを削除する工程Ｃとを有することを要旨とする。
【０００７】
本発明の第２の特徴は、内線サーバであって、第１無線基地局配下の第１セル内に在圏している第１移動端末と、該第１セル内に在圏している第２移動端末と、第２無線基地局配下の第２セル内に在圏している第３移動端末との間で通信を開始する手順において、前記第１移動端末との間で前記第１無線基地局を介して第１内線リンクを確立し、前記第２移動端末との間で前記第２無線基地局を介して第２内線リンクを確立し、該第１内線リンクと該第２内線リンクとを接続するように構成されており、前記第２移動端末と第１無線制御装置との間で前記第１無線基地局を介して確立されている第１無線アクセスネットワークリンクと、前記第３移動端末と第２無線制御装置との間で該第２無線基地局を介して確立されている第２無線アクセスネットワークリンクと、該第１無線制御装置と該第２無線制御装置との間でコアネットワークを介して確立されているコアネットワークリンクとが接続されている場合で、かつ、前記内線サーバと前記第１無線制御装置との間で確立されたアクセスリンクが、該第１無線アクセスネットワークリンクの代わりに該コアネットワークリンクに接続された場合に、該アクセスリンクと前記第１内線リンクと前記第２内線リンクとを接続するように構成されていることを要旨とする。
【発明の効果】
【０００８】
以上説明したように、本発明によれば、無駄なトラフィックやコストを発生させることなく会議通信を行うことができる通信開始方法及び内線サーバを提供することができる。
【発明を実施するための最良の形態】
【０００９】
（本発明の第１の実施形態に係る移動通信システム）
図１乃至図６を参照して、本発明の第１の実施形態に係る移動通信システムについて説明する。
【００１０】
図１に示すように、本実施形態に係る移動通信システムは、Ｗ-ＣＤＭＡ方式の移動通信システムであり、コアネットワークにおける交換機ＣＮと、無線制御装置ＲＮＣ＃１、ＲＮＣ＃２と、フェムトセル＃Ａ（第１セル）を管理するフェムトセル用無線基地局ＢＴＳ＃Ａ（第１無線基地局）と、セル＃Ｂ（マクロセル、第２セル）を管理する無線基地局＃Ｂ（マクロセル用無線基地局、第２無線基地局）と、内線サーバＢＳＤＴＭとを具備している。
【００１１】
なお、内線サーバＢＳＤＴＭの機能は、フェムトセル用無線基地局ＢＴＳ＃Ａ内に設けられていてもよい。
【００１２】
ここで、図１の例では、移動端末（第１移動端末）ＵＥ＃１及び移動端末（第２移動端末）ＵＥ＃２が、フェムトセル＃Ａに在圏しており、移動端末（第２移動端末）ＵＥ＃２が、セル＃Ｂに在圏しているものとする。
【００１３】
また、図１の例では、移動端末ＵＥ＃１と移動端末ＵＥ＃２と移動端末ＵＥ＃３との間で会議通信が行われるものとする。
【００１４】
ここで、本実施形態に係る移動通信システムでは、移動端末ＵＥ＃２と移動端末ＵＥ＃３との間で通信を開始するために、移動端末ＵＥ＃２と無線制御装置ＲＮＣ＃１との間でフェムトセル用無線基地局ＢＴＳ＃Ａを介して無線アクセスネットワークリンク＃１が確立され、移動端末ＵＥ＃３と無線制御装置ＲＮＣ＃２との間で無線基地局ＢＴＳ＃Ｂを介して無線アクセスネットワークリンク＃２が確立され、無線制御装置ＲＮＣ＃１と無線制御装置ＲＮＣ＃２との間でコアネットワークを介してコアネットワークリンクが確立され、無線アクセスネットワークリンク＃１と無線アクセスネットワークリンク＃２とコアネットワークリンクとが接続されるように構成されている。
【００１５】
また、本実施形態に係る移動通信システムでは、移動端末ＵＥ＃１と移動端末ＵＥ＃２との間で通信を開始するために、移動端末ＵＥ＃１と内線サーバＢＳＤＴＭとの間でフェムトセル用無線基地局ＢＴＳ＃Ａを介して内線リンク＃１が確立され、移動端末ＵＥ＃２と内線サーバＢＳＳＴＭとの間でフェムトセル用無線基地局ＢＴＳ＃Ａを介して内線リンク＃２を確立し、内線サーバＢＳＤＴＭにおいて、内線リンク＃１と内線リンク＃２とが接続されるように構成されている。
【００１６】
また、かかる状態で、移動端末ＵＥ＃１と移動端末ＵＥ＃２と移動端末ＵＥ＃３との間で会議通信を開始するために、内線サーバＢＳＤＴＭと無線制御装置ＲＮＣ＃１との間でアクセスリンクが確立され、コアネットワークリンクとアクセスリンクとが接続され、内線サーバＢＳＤＴＭにおいて、アクセスリンクと内線リンク＃１と内線リンク＃２とが接続され、無線アクセスネットワークリンク＃１が削除されるように構成されている。
【００１７】
ここで、内線サーバＢＳＤＴＭは、複数の内線リンク＃１、＃２をグループ化して、無線アクセスネットワークリンク＃２とコアネットワークリンクとアクセスリンクとからなる外線リンクに接続するように構成されている。
【００１８】
以下、図２乃至図６を参照して、本発明の第１の実施形態に係る移動通信システムにおいて、移動端末ＵＥ＃１と移動端末ＵＥ＃２と移動端末ＵＥ＃３との間で会議通信を開始する動作について説明する。
【００１９】
図２に示すように、ステップＳ１００１において、移動端末ＵＥ＃３は、交換機ＣＮに対して、移動端末ＵＥ＃２宛ての発信要求を送信する。
【００２０】
ステップＳ１００２において、交換機ＣＮは、無線制御装置ＲＮＣ＃１に対して、ＲＡＮＡＰメッセージとして「Ｐａｇｉｎｇ」を送信する。
【００２１】
ステップＳ１００３において、無線制御装置ＲＮＣ＃１は、移動端末ＵＥ＃２に対して、ＲＲＣメッセージとして「Ｐａｇｉｎｇ」を送信する。
【００２２】
ステップＳ１００４において、移動端末ＵＥ＃２は、無線制御装置ＲＮＣ＃１に対して、ＲＲＣメッセージとして「ＲＲＣ  Ｃｏｎｎｅｃｔｉｏｎ  Ｒｅｑｕｓｔ」を送信する。
【００２３】
ステップＳ１００５において、無線制御装置ＲＮＣ＃１は、フェムトセル用無線基地局ＢＴＳ＃Ａに対して、ＮＢＡＰメッセージとして「ＲＬ  Ｓｅｔｕｐ  Ｒｅｑｕｅｓｔ」を送信する。
【００２４】
ステップＳ１００６において、フェムトセル用無線基地局ＢＴＳ＃Ａは、無線制御装置ＲＮＣ＃１に対して、ＮＢＡＰメッセージとして「ＲＬ  Ｓｅｔｕｐ  Ｒｅｓｐｏｎｓｅ」を送信する。
【００２５】
ステップＳ１００７において、無線制御装置ＲＮＣ＃１は、移動端末ＵＥ＃２に対して、ＲＲＣメッセージとして「ＲＲＣ  Ｃｏｎｎｅｃｔｉｏｎ  Ｓｅｔｕｐ」を送信する。
【００２６】
ステップＳ１００８において、移動端末ＵＥ＃２は、無線制御装置ＲＮＣ＃１に対して、ＲＲＣメッセージとして「ＲＲＣ  Ｃｏｎｎｅｃｔｉｏｎ  Ｓｅｔｕｐ  Ｃｏｍｐｌｅｔｅ」を送信する。
【００２７】
ステップＳ１００９において、移動端末ＵＥ＃２と無線制御装置ＲＮＣ＃１との間で制御リンク（ＵＥ＃２-ＲＮＣ＃２）が確立される。
【００２８】
ステップＳ１０１０において、交換機ＣＮは、移動端末ＵＥ＃２に対して、ＭＭメッセージとして「Ａｕｔｈｅｎｔｉｃａｔｉｏｎ  Ｒｅｑｕｅｓｔ」を送信する。
【００２９】
ステップＳ１０１１において、移動端末ＵＥ＃２は、受信した「Ａｕｔｈｅｎｔｉｃａｔｉｏｎ  Ｒｅｑｕｅｓｔ」に応じて認証処理を行い、交換機ＣＮに対して、ＭＭメッセージとして、かかる認証結果を示す「Ａｕｔｈｅｎｔｉｃａｔｉｏｎ  Ｒｅｓｐｏｎｓｅ」を送信する。
【００３０】
ステップＳ１０１２において、移動端末ＵＥ＃２と交換機ＣＮとの間で制御リンク（ＵＥ＃２-ＣＮ）が確立される。
【００３１】
ステップＳ１０１３において、移動端末ＵＥ＃２は、交換機ＣＮに対して、ＣＣメッセージとして「Ｓｅｔｕｐ」を送信する。
【００３２】
ステップＳ１０１４において、交換機ＣＮは、移動端末ＵＥ＃２に対して、ＣＣメッセージとして「Ｃａｌｌ  Ｐｒｏｃｅｓｓｉｎｇ」を送信する。
【００３３】
ステップＳ１０１５において、交換機ＣＮは、無線制御装置ＲＮＣ＃１に対して、ＲＡＮＡＰメッセージとして「ＲＡＢ  Ａｓｓｉｇｎｍｅｎｔ  Ｒｅｑｕｅｓｔ」を送信する。
【００３４】
ステップＳ１０１６において、無線制御装置ＲＮＣ＃１は、フェムトセル用無線基地局ＢＴＳ＃Ａに対して、ＮＢＡＰメッセージとして「ＲＬ  Ｓｅｔｕｐ  Ｒｅｑｕｅｓｔ」を送信する。
【００３５】
ステップＳ１０１７において、フェムトセル用無線基地局ＢＴＳ＃Ａは、無線制御装置ＲＮＣ＃１に対して、ＮＢＡＰメッセージとして「ＲＬ  Ｓｅｔｕｐ  Ｒｅｓｐｏｎｓｅ」を送信する。
【００３６】
ステップＳ１０１８において、フェムトセル用無線基地局ＢＴＳ＃Ａと交換機ＣＮとの間で第１制御リンク（ＢＴＳ＃Ａ-ＣＮ）が確立される。
【００３７】
ステップＳ１０１９において、無線制御装置ＲＮＣ＃１は、移動端末ＵＥ＃２に対して、ＲＲＣメッセージとして「Ｒａｄｉｏ  Ｂｅａｒｅｒ  Ｓｅｔｕｐ」を送信する。
【００３８】
ステップＳ１０２０において、移動端末ＵＥ＃２は、無線制御装置ＲＮＣ＃１に対して、ＲＲＣメッセージとして「Ｒａｄｉｏ  Ｂｅａｒｅｒ  Ｓｅｔｕｐ  Ｃｏｍｐｌｅｔｅ」を送信する。
【００３９】
ステップＳ１０２１において、無線制御装置ＲＮＣ＃１は、交換機ＣＮに対して、ＲＡＮＡＰメッセージとして「ＲＡＢ  Ａｓｓｉｇｎｍｅｎｔ  Ｒｅｓｐｏｎｓｅ」を送信する。
【００４０】
ステップＳ１０２２において、移動端末ＵＥ＃２と移動端末ＵＥ＃３との間で、第１データリンク（ＵＥ＃２-ＵＥ＃３）が確立される（図４参照）。
【００４１】
図３に示すように、その後、ステップＳ１１００において、移動端末ＵＥ＃２は、交換機ＣＮに対して、移動端末ＵＥ＃１宛ての発信要求を送信する。
【００４２】
ステップＳ１１０１において、交換機ＣＮは、無線制御装置ＲＮＣ＃２に対して、ＲＡＮＡＰメッセージとして「Ｐａｇｉｎｇ」を送信する。
【００４３】
ステップＳ１１０２において、無線制御装置ＲＮＣ＃１は、移動端末ＵＥ＃１に対して、ＲＲＣメッセージとして「Ｐａｇｉｎｇ」を送信する。
【００４４】
ステップＳ１１０３において、移動端末ＵＥ＃１は、無線制御装置ＲＮＣ＃１に対して、ＲＲＣメッセージとして「ＲＲＣ  Ｃｏｎｎｅｃｔｉｏｎ  Ｒｅｑｕｓｔ」を送信する。
【００４５】
ステップＳ１１０４において、無線制御装置ＲＮＣ＃１は、フェムトセル用無線基地局ＢＴＳ＃Ａに対して、ＮＢＡＰメッセージとして「ＲＬ  Ｓｅｔｕｐ  Ｒｅｑｕｅｓｔ」を送信する。
【００４６】
ステップＳ１１０５において、フェムトセル用無線基地局ＢＴＳ＃Ａは、無線制御装置ＲＮＣ＃１に対して、ＮＢＡＰメッセージとして「ＲＬ  Ｓｅｔｕｐ  Ｒｅｓｐｏｎｓｅ」を送信する。
【００４７】
ステップＳ１１０６において、無線制御装置ＲＮＣ＃１は、移動端末ＵＥ＃１に対して、ＲＲＣメッセージとして「ＲＲＣ  Ｃｏｎｎｅｃｔｉｏｎ  Ｓｅｔｕｐ」を送信する。
【００４８】
ステップＳ１１０７において、移動端末ＵＥ＃１は、無線制御装置ＲＮＣ＃１に対して、ＲＲＣメッセージとして「ＲＲＣ  Ｃｏｎｎｅｃｔｉｏｎ  Ｓｅｔｕｐ  Ｃｏｍｐｌｅｔｅ」を送信する。
【００４９】
ステップＳ１１０８において、移動端末ＵＥ＃１と無線制御装置ＲＮＣ＃１との間で制御リンク（ＵＥ＃１-ＲＮＣ＃２）が確立される。
【００５０】
ステップＳ１１０９において、移動端末ＵＥ＃１は、交換機ＣＮに対して、ＭＭメッセージとして「ＣＭ  Ｓｅｒｖｉｃｅ  Ｒｅｑｕｅｓｔ」を送信する。
【００５１】
ステップＳ１１１０において、交換機ＣＮは、移動端末ＵＥ＃１に対して、ＭＭメッセージとして「Ａｕｔｈｅｎｔｉｃａｔｉｏｎ  Ｒｅｑｕｅｓｔ」を送信する。
【００５２】
ステップＳ１１１１において、移動端末ＵＥ＃１は、受信した「Ａｕｔｈｅｎｔｉｃａｔｉｏｎ  Ｒｅｑｕｅｓｔ」に応じて認証処理を行い、交換機ＣＮに対して、ＭＭメッセージとして、かかる認証結果を示す「Ａｕｔｈｅｎｔｉｃａｔｉｏｎ  Ｒｅｓｐｏｎｓｅ」を送信する。
【００５３】
ステップＳ１１１２において、移動端末ＵＥ＃１と交換機ＣＮとの間で制御リンク（ＵＥ＃１-ＣＮ）が確立される。
【００５４】
ステップＳ１１１３において、移動端末ＵＥ＃１は、交換機ＣＮに対して、ＣＣメッセージとして「Ｓｅｔｕｐ」を送信する。
【００５５】
ステップＳ１１１４において、交換機ＣＮは、移動端末ＵＥ＃１に対して、ＣＣメッセージとして「Ｃａｌｌ  Ｐｒｏｃｅｓｓｉｎｇ」を送信する。
【００５６】
ステップＳ１１１５において、交換機ＣＮは、無線制御装置ＲＮＣ＃１に対して、ＲＡＮＡＰメッセージとして「ＲＡＢ  Ａｓｓｉｇｎｍｅｎｔ  Ｒｅｑｕｅｓｔ」を送信する。
【００５７】
ステップＳ１１１６において、無線制御装置ＲＮＣ＃１は、フェムトセル用無線基地局ＢＴＳ＃Ａに対して、ＮＢＡＰメッセージとして「ＲＬ  Ｓｅｔｕｐ  Ｒｅｑｕｅｓｔ」を送信する。
【００５８】
ステップＳ１１１７において、フェムトセル用無線基地局ＢＴＳ＃Ａは、無線制御装置ＲＮＣ＃１に対して、ＮＢＡＰメッセージとして「ＲＬ  Ｓｅｔｕｐ  Ｒｅｓｐｏｎｓｅ」を送信する。
【００５９】
ステップＳ１１１８において、フェムトセル用無線基地局ＢＴＳ＃Ａと内線サーバＢＳＤＴＭとの間で第２制御リンク（ＢＴＳ＃Ａ-ＢＳＤＴＭ）が確立される。
【００６０】
ステップＳ１１１９において、無線制御装置ＲＮＣ＃１は、移動端末ＵＥ＃１に対して、ＲＲＣメッセージとして「Ｒａｄｉｏ  Ｂｅａｒｅｒ  Ｓｅｔｕｐ」を送信する。
【００６１】
ステップＳ１１２０において、移動端末ＵＥ＃１は、無線制御装置ＲＮＣ＃１に対して、ＲＲＣメッセージとして「Ｒａｄｉｏ  Ｂｅａｒｅｒ  Ｓｅｔｕｐ  Ｃｏｍｐｌｅｔｅ」を送信する。
【００６２】
ステップＳ１１２１において、無線制御装置ＲＮＣ＃１は、交換機ＣＮに対して、ＲＡＮＡＰメッセージとして「ＲＡＢ  Ａｓｓｉｇｎｍｅｎｔ  Ｒｅｓｐｏｎｓｅ」を送信する。ステップＳ１１２１の直後の状態を、図５に示す。
【００６３】
ステップＳ１１２２において、交換機ＣＮは、無線制御装置ＲＮＣ＃１に対して、ＲＡＮＡＰメッセージとして「ＲＡＢ  Ａｓｓｉｇｎｍｅｎｔ  Ｒｅｑｕｅｓｔ」を送信する。
【００６４】
ステップＳ１１２３において、無線制御装置ＲＮＣ＃１は、フェムトセル用無線基地局ＢＴＳ＃Ａに対して、ＮＢＡＰメッセージとして「ＲＬ  Ｒｅｃｏｎｆｉｇｕｒａｔｉｏｎ  Ｐｒｅｐａｒｅ」を送信する。
【００６５】
ステップＳ１１２４において、フェムトセル用無線基地局ＢＴＳ＃Ａは、無線制御装置ＲＮＣ＃１に対して、ＮＢＡＰメッセージとして「ＲＬ  Ｒｅｃｏｎｆｉｇｕｒａｔｉｏｎ  Ｒｅａｄｙ」を送信する。
【００６６】
ステップＳ１１２５において、無線制御装置ＲＮＣ＃１は、フェムトセル用無線基地局ＢＴＳ＃Ａに対して、ＮＢＡＰメッセージとして「ＲＬ  Ｒｅｃｏｎｆｉｇｕｒａｔｉｏｎ  Ｃｏｍｍｉｔ」を送信する。
【００６７】
ステップＳ１１２６において、第１制御リンク（ＢＴＳ＃Ａ-ＣＮ）と第２制御リンク（ＢＴＳ＃Ａ-ＢＳＤＴＭ）とが接続される。
【００６８】
ステップＳ１１２７において、無線制御装置ＲＮＣ＃１は、移動端末ＵＥ＃２に対して、ＲＲＣメッセージとして「Ｒａｄｉｏ  Ｂｅａｒｅｒ  Ｓｅｔｕｐ」を送信する。
【００６９】
ステップＳ１１２８において、移動端末ＵＥ＃２は、無線制御装置ＲＮＣ＃１に対して、ＲＲＣメッセージとして「Ｒａｄｉｏ  Ｂｅａｒｅｒ  Ｓｅｔｕｐ  Ｃｏｍｐｌｅｔｅ」を送信する。
【００７０】
ステップＳ１１２９において、無線制御装置ＲＮＣ＃１は、交換機ＣＮに対して、ＲＡＮＡＰメッセージとして「ＲＡＢ  Ａｓｓｉｇｎｍｅｎｔ  Ｒｅｓｐｏｎｓｅ」を送信する。
【００７１】
ステップＳ１１３０において、コアネットワークを介することなく、移動端末ＵＥ＃１と移動端末ＵＥ＃２との間で第２データリンク（ＵＥ＃１-ＵＥ＃２）が確立される（図６参照）。
【００７２】
ステップＳ１１３１において、接続された第１制御リンク（ＢＴＳ＃Ａ-ＣＮ）及び第２制御リンク（ＢＴＳ＃Ａ-ＢＳＤＴＭ）を用いて、内線サーバＢＳＤＴＭにおいて、第１データリンク（ＵＥ＃２-ＵＥ＃３）と第２データリンク（ＵＥ＃１-ＵＥ＃２）を接続することによって、移動端末ＵＥ＃１と移動端末ＵＥ＃２と移動端末ＵＥ＃３との間で会議通信を開始する。
【００７３】
（本発明の第１の実施形態に係る移動通信システムの作用・効果）
本発明の第１の実施形態に係る移動通信システムによれば、会議通信において、同一の無線基地局配下のセルに在圏している移動端末同士の通信は、コアネットワークを介することなく、当該無線基地局に接続されている内線サーバにて折り返して行われるように構成されているため、無駄なトラフィックやコストを発生させることなく会議通信を行うことができる。
【００７４】
以上に述べた本実施形態の特徴は、以下のように表現されていてもよい。
【００７５】
本実施形態の第１の特徴は、移動通信方法であって、コアネットワークを経由して、フェムトセル用無線基地局（第１無線基地局）ＢＴＳ＃Ａ配下のフェムトセル（第１セル）＃Ａ内に在圏している第２移動端末ＵＥ＃１とフェムトセル用無線基地局（第２無線基地局）ＢＴＳ＃Ｂ配下のセル（第２セル）＃Ｂ内に在圏している第３移動端末ＵＥ＃３との間で、第１データリンクを確立する工程Ａと、コアネットワークを経由することなく、フェムトセル用無線基地局ＢＴＳ＃Ａで折り返して、フェムトセル＃Ａ内に在圏している第１移動端末ＵＥ＃１と第２移動端末ＵＥ＃２との間で、第２データリンクを確立する工程Ｂと、内線サーバＢＳＤＴＭにおいて、第１データリンクと第２データリンクとを接続する工程Ｃと、接続された第１データリンク及び第２データリンクを介して、第１移動端末ＵＥ＃１と第２移動端末ＵＥ＃２と第３移動端末ＵＥ＃３との間で通信を開始する工程Ｄとを有することを要旨とする。
【００７６】
本実施形態の第１の特徴において、フェムトセル用無線基地局ＢＴＳ＃Ａとコアネットワークにおける交換機ＣＮとの間で、第１制御リンクを確立する工程と、フェムトセル用無線基地局ＢＴＳ＃Ａと内線サーバＢＳＤＴＭとの間で、第２制御リンクを確立する工程と、第１制御リンクと第２制御リンクとを接続する工程とを有し、工程Ｃにおいて、接続された第１制御リンク及び第２制御リンクを用いて、内線サーバＢＳＤＴＭにおいて、第１データリンクと第２データリンクとを接続してもよい。
【００７７】
（変更例）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００７８】
かかる場合、無線制御装置ＲＮＣの機能が、無線基地局ＢＴＳ或いは交換機ＣＮに設けられるものとする。
【００７９】
なお、上述の移動端末や内線サーバやフェムトセル用無線基地局や無線制御装置や交換機の動作は、ハードウェアによって実施されてもよいし、プロセッサによって実行されるソフトウェアモジュールによって実施されてもよいし、両者の組み合わせによって実施されてもよい。
【００８０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動端末や内線サーバやフェムトセル用無線基地局や無線制御装置や交換機内に設けられていてもよい。また、かかる記憶媒体及びプロセッサは、ディスクリートコンポーネントとして移動端末や内線サーバやフェムトセル用無線基地局や無線制御装置や交換機内に設けられていてもよい。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８３】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システムの動作を示すシーケンス図である。
【図４】本発明の第１の実施形態に係る移動通信システムの動作を説明するための図である。
【図５】本発明の第１の実施形態に係る移動通信システムの動作を説明するための図である。
【図６】本発明の第１の実施形態に係る移動通信システムの動作を説明するための図である。
【符号の説明】
【００８４】
ＣＮ…交換機
ＲＮＣ…無線制御装置
ＢＴＳ…フェムトセル用無線基地局
ＢＳＤＴＭ…内線サーバ
ＵＥ…移動端末
【図１】
2010068354.tif 000003
【図２】
2010068354.tif 000004
【図３】
2010068354.tif 000005
【図４】
2010068354.tif 000006
【図５】
2010068354.tif 000007
【図６】
2010068354.tif 000008